(57)【要約】【課題】  手指に水が付いていても装着しやすく、薬液が頭髪に付着して滑りやすい状態であっても操作性がよい理容美容用手袋を提供すること。【解決手段】  天然ゴムから形成される理容美容用手袋１において、手袋本体１Ａの先端側に連続して一体に設けた小指用挿入部２Ａ、薬指用挿入部３Ａ、中指用挿入部４Ａおよび人差指用挿入部５Ａと、前記人差指用挿入部の下方に設けた親指用挿入部６Ａと、前記手袋本体１Ａに括れ部７Ａを介して連続して一体に設けた手首被覆部８Ａと、手指を挿入する挿入開口部９Ａの開口縁に設けた円輪ゴム部１０Ａと、前記各挿入部ならびに手袋本体１Ａから前記括れ部７Ａまでの手袋表面に、微小凹凸１１ａ，１１ｂを形成した滑止加工部１１と、を備え、理容美容用手袋１は、塩素処理され、また、肉厚を０．２８〜０．１７ｍｍの範囲とし、前記滑止加工部１１が形成されている手袋内面は、平坦に形成したものである。【選択図】      図１
2007070747.tif 000002
【特許請求の範囲】
【請求項１】
天然ゴムから形成され右手用と左手用とを備える理容美容用手袋において、
掌および手の甲を収納する手袋本体の先端側に連続して一体に設けた小指用挿入部、薬指用挿入部、中指用挿入部および人差指用挿入部と、
前記人差指用挿入部の下方で当該人差指用挿入部と垂直方向において重なる位置で前記手袋本体に連続して一体に設けた親指用挿入部と、
前記手袋本体の下端側に連続して所定長さで一体に設けた手首被覆部と、
この手首被覆部の下端に設けた、手指を挿入する挿入開口部と、
この手指挿入開口部の開口縁に設けた円輪ゴム部と、
前記手袋本体と前記手首被覆部の間に設けられ、当該手袋本体の開口広さ、および、前記挿入開口部の開口広さより狭くなるように括れた括れ部と、
前記小指用挿入部、薬指用挿入部、中指用挿入部、人差指用挿入部および親指用挿入部ならびに手袋本体から前記括れ部までの手袋表面に、当該手袋本体の肉厚より小さい不規則な形状の微小凹凸を形成した滑止加工部と、を備え、
前記滑止加工部が形成された部分の肉厚を０．２８〜０．１７ｍｍの範囲とし、
前記滑止加工部が形成されている手袋表面に対応する手袋内面は、平坦に形成され、
前記手袋表面および前記手袋内面に塩素処理して形成したことを特徴とする理容美容用手袋。
【発明の詳細な説明】
【技術分野】
【０００１】
本発明は、理容室あるいは美容室で使用され、例えば、頭髪を染める毛染め作業等に用いられる理容美容用手袋に関するものである。
【背景技術】
【０００２】
従来、理容室あるいは美容室では、塩化ビニル製作業手袋やゴム手袋を施術者の手指に装着して、毛染め作業等の作業が行われている。このような理容美容用に使用される手袋として、次のような構成のものが提案されている。
【０００３】
すなわち、手袋は、指のつけ根部分若しくは指関節よりも下部の部分に相当する手袋の指部の所定部位に縮径した絞り部を設けた構成とし、この指部の絞り部により指との緊着状態を保持して、作業時に於ける手袋の離脱を防止したもの（例えば、特許文献１参照）が知られている。
【０００４】
また、他の例として、手袋は、手への装着状態を保持すべく、手首部に、延伸した場合に手首の径方向に縮経する絞りを設けたもの（例えば、特許文献２参照）も知られている。さらに、表面に滑り止め加工を施した作業用手袋も知られている。
【０００５】
【特許文献１】実開平４−７６１６号公報（第１頁〜第３頁、第１図、第２図）
【特許文献２】特開２００５−９０３５号公報（段落番号００１８〜００３９および図１〜図３）
【発明の開示】
【発明が解決しようとする課題】
【０００６】
しかし、従来の手袋では、以下に示すような問題点が存在していた。
従来の手袋の構成では、理容室あるいは美容室で頭髪を扱うために構成されていないため、手袋の親指の位置、滑止加工部の微小凹凸の大きさについて考慮されていない。そのため、薬液が付着した頭髪を所定範囲で分け取る作業、ブラシを把持して薬液を塗布する作業等、理容美容用としての手袋に求められる頭髪に対して行う作業の操作性を確保することができなかった。
【０００７】
また、理容美容用手袋は、一般的に手指に密着してフィットする状態となるサイズに形成されているが、装着し易さと、前記した頭髪に対する操作性を必要とされることが望まれており、かつ、手指の感覚を反映させることを確保する必要上、少なくとも肉厚を小さくすることが望まれていた。
【０００８】
さらに、理容美容用手袋は、当該手袋を装着する前に行っている他の作業中に手指に水が付く場合があり、手指に水分が付いていても直ぐに装着しやすく、かつ装着したら手指にピッタリとフィットして頭髪に対する操作性に優れることが望まれていた。
【０００９】
本発明は、前記した問題点に鑑み創案されたものであり、手指に水分が付いていても装着しやすく、薬液が付着して滑りやすい状態であっても操作性がよく、装着し易さおよび頭髪に対する操作性に優れた理容美容用手袋を提供することを課題とする。
【課題を解決するための手段】
【００１０】
本発明は、前記した課題を解決するため、理容美容用手袋を以下のように構成した。すなわち、天然ゴムから形成され右手用と左手用とを備える理容美容用手袋において、掌および手の甲を収納する手袋本体の先端側に連続して一体に設けた小指用挿入部、薬指用挿入部、中指用挿入部および人差指用挿入部と、前記人差指用挿入部の下方で当該人差指用挿入部と垂直方向において重なる位置で前記手袋本体に連続して一体に設けた親指用挿入部と、前記手袋本体の下端側に連続して所定長さで一体に設けた手首被覆部と、この手首被覆部の下端に設けた、手指を挿入する挿入開口部と、この手指挿入開口部の開口縁に設けた円輪ゴム部と、前記手袋本体と前記手首被覆部の間に設けられ、当該手袋本体の開口広さ、および、前記挿入開口部の開口広さより狭くなるように括れた括れ部と、前記小指用挿入部、薬指用挿入部、中指用挿入部、人差指用挿入部および親指用挿入部ならびに手袋本体から前記括れ部までの手袋表面に、当該手袋本体の肉厚より小さい不規則な形状の微小凹凸を形成した滑止加工部と、を備えている。そして、理容美容手袋は、前記滑止加工部が形成された部分の肉厚を０．２８〜０．１７ｍｍの範囲とし、前記滑止加工部が形成されている手袋表面に対応する手袋内面は、平坦に形成され、前記手袋表面および前記手袋内面に塩素処理して形成したものである。
【００１１】
このように構成した理容美容用手袋は、内側には微小凹凸が形成されていないため、かつ、塩素処理されていることにより、使用者の手指に水分が付いていても手袋内面と手指との摩擦が最小限になり、円輪ゴム部により開口状態が確保された手指挿入開口から手指を容易に挿入して装着することができる。また、理容美容用手袋は、手袋本体と手首被覆部の間に括れ部が形成されているため、確実に手指にフィットし、塩素処理されていることと、手袋表面の手指、掌等に対応する位置に滑止加工部としての微小凹凸が形成されているため、頭髪に対して接触しても頭髪を天然ゴムの摩擦で必要以上引っ張ることがなく、かつ、薬液を塗布された頭髪に対しても適切に操作できる。そして、理容美容用手袋は、肉厚が薄い状態ため手指の感覚を確保した状態で操作することができる。
【発明の効果】
【００１２】
本発明に係る理容美容用手袋は、作業者の手指に水分が付いていても装着しやすく、装着した状態においてフィット感に優れ、かつ、手指の感覚を確保した状態で、薬液が付着して滑りやすい毛染め等の作業を操作性に優れた状態で行うことができる
。
【発明を実施するための最良の形態】
【００１３】
以下、本発明に係る理容美容用手袋の最良の形態を、図面を参照して説明する。
図１（ａ）は、理容美容用手袋を示す正面図、（ｂ）は、理容美容用手袋の滑止加工部の微小凹凸の状態を示す端面図、（ｃ）は、理容美容用手袋の挿入開口部における円輪ゴム部を示す断面図、図２は理容美容用手袋を装着して使用している状態を示す斜視図である。
【００１４】
図１（ａ）に示すように、理容美容用手袋１は、左右で一対に形成されており、右手用手袋Ａおよび左手用手袋Ｂが、それぞれ一体に天然ゴムにより肉厚を０．２８〜０．１７ｍｍの範囲となるように形成されている。この理容美容用手袋１は、ここでは主に毛染め用に使用されることから、黒の顔料により着色されている。なお、理容美容用手袋１は、左右が対称に形成されて同じ構成であるため、右手用手袋Ａにつて説明する。
【００１５】
理容美容用手袋１の右手用手袋Ａは、指先から挿入開口縁まで連続して一体に形成されており、掌の位置に配置された手袋本体１Ａの一端側に小指用挿入部２Ａ、薬指用挿入部３Ａ、中指用挿入部４Ａ、人差指用挿入部５Ａが形成され、人差指用挿入部の下方に親指用挿入部６Ａが形成され、かつ、手袋本体１Ａの他端側に括れ部７Ａを介して手首被覆部８Ａが形成され、さらに、手首被覆部８Ａの端部に挿入開口部９Ａが形成されている。
【００１６】
親指用挿入部６Ａは、人差指用挿入部５Ａの下方で垂直方向において重なる位置に配置されている。この親指用挿入部６Ａは、手袋本体１Ａの長手方向の中央に基端（親指挿入口）が形成されるように設けられている。そのため、使用者は、手指を理容美容用手袋１に装着すると、親指が人差指の垂直線上に位置し易くなり、親指と他の指とでもの（頭髪、ブラシ等）をつかみやすい状態になる。
【００１７】
手袋本体１Ａと、手首被覆部８Ａとの間には、当該手袋本体１Ａの開口広さ、および、手首被覆部８Ａの挿入開口部９Ａの開口広さより狭くなるように括れた括れ部７Ａが形成されている。また、この括れ部７Ａから指側、つまり、手袋本体１Ａおよび各指用挿入部２Ａ〜６Ａには、手袋表面（掌側および甲側）に不規則な形状の微小凹凸１１ａ，１１ｂを形成した滑止加工部１１を備えている。この微小凹凸１１ａ，１１ｂは、凹凸の長さ、凹凸の向き等について不規則な形状に形成されている。
【００１８】
また、微小凹凸１１ａ、１１ｂの凹凸高さＬ２は、図１（ｂ）に示すように、理容美容用手袋１の肉厚Ｌ１より小さくなるように形成されている。この微小凹凸１１ａ、１１ｂは、その凹凸高さＬ２がここでは、０．１１〜０．０２ｍｍの範囲となるように形成され、好ましくは０．０８〜０．０４ｍｍの範囲となるように形成されている。凹凸高さＬ２が０．０２ｍｍ未満となると、頭髪に薬液等が付着した場合に滑り易くなり、操作上の支障を生じる状態になる。また、０．１１ｍｍを超えると、頭髪に必要以上の摩擦を生じて操作上の支障を生じる状態となる。
【００１９】
なお、微小凹凸１１ａ，１１ｂを形成する場合には、手袋の型にあらかじめ微小凹凸１１ａ，１１ｂを形成するための凹凸を形成しておくことで理容美容用手袋１に設けることが可能となる。また、理容美容用手袋１の微小凹凸１１ａ，１１ｂが形成された手袋内面は、平坦に形成されている。
【００２０】
図１（ｃ）に示すように、挿入開口部９Ａの開口縁には、円輪ゴム部１０Ａが設けられている。この円輪ゴム部１０Ａは、直径１ｍｍ以上の断面円形状に形成され、挿入開口部９Ａの開口状態を開くように確保して手指を理容美容用手袋１に挿入し易くしている。
【００２１】
理容美容用手袋１は、ここでは、肉厚が０．２８〜０．１７ｍｍの範囲となるように形成されており、各指用挿入部は０．２８〜０．２４ｍｍの範囲とし、手袋本体１Ａは０．２３〜０．２０ｍｍの範囲とし、かつ、手首被覆部８Ａは０．１９〜０．１７ｍｍの範囲として形成されることがより好ましい。理容美容用手袋１の肉厚は、０．２８ｍｍを超えて形成すると手指の触感を確保し難くなる。また、理容美容用手袋１の肉厚は、０．１７ｍｍ未満になると装着するときなどに破れやすくなってしまう。
【００２２】
理容美容用手袋１は、右手用手袋Ａの型（図示せず）と、左手用手袋Ｂの型（図示せず）にあらかじめ黒に着色された状態の天然ゴムを所定厚みに付着させた後に乾燥させて形成される。そして、理容美容用手袋１は、その後手袋表面および手袋内面に塩素処理が施される。なお、塩素処理は、一例として、３０％塩素水あるいはそれを所定温度に加温したものに理容美容用手袋１を所定時間浸漬させることで行う。
【００２３】
理容美容用手袋１は、図２に示すように、例えば、毛染め作業を行う場合に、手指に装着して使用されるが、このとき、手袋内面には凹凸がなく、かつ、塩素処理されているため手指との摩擦が小さく装着し易い。また、理容美容用手袋１は、装着すると、肉厚が０．２８〜０．１７ｍｍの範囲であるため、頭髪やブラシに接したときに手指の感覚を保った状態で、頭髪のブロッキング、ブラシを介しての毛染め液塗布等の各作業を行うことができる。
そして、各作業を行うときには、理容美容用手袋１は、所定位置に微小凹凸１１ａ，１１ｂが形成されていることから、特に、頭髪あるいは薬液が付着した頭髪に対して、滑りすぎることもなく、かつ、必要以上に引っ張ることなく適切に取り扱うことができる。
【図面の簡単な説明】
【００２４】
【図１】（ａ）は本発明に係る理容美容用手袋を示す正面図、（ｂ）は、理容美容用手袋の滑止加工部の微小凹凸の状態を示す端面図、（ｃ）は、理容美容用手袋の挿入開口部における円輪ゴム部を示す断面図である。
【図２】本発明に係る理容美容用手袋を装着して使用している状態を示す斜視図である。
【符号の説明】
【００２５】
Ａ            右手用手袋
Ｂ            左手用手袋
１            理容美容用手袋
１Ａ，１Ｂ    手袋本体
２Ａ，２Ｂ    小指用挿入部
３Ａ，３Ｂ    薬指用挿入部
４Ａ，４Ｂ    中指用挿入部
５Ａ，５Ｂ    人差指用挿入部
６Ａ，６Ｂ    親指用挿入部
７Ａ，７Ｂ    括れ部
８Ａ，８Ｂ    手首被覆部
９Ａ，９Ｂ    挿入開口部
１０Ａ，１０Ｂ  円輪ゴム部
１１          滑止加工部
１１ａ，１１ｂ  微小凹凸
【図１】
2007070747.tif 000003
【図２】
2007070747.tif 000004